(57)【要約】      （修正有）【課題】ボンディング加工不要な靴、帽子用メリヤス生地を提供する。【解決手段】メリヤス生地１１は編み糸が加工設備によって表地に仕上げるとき、そのうちの一つ表面に表面から突き出された多数リング状のかの子織り組織１１を形成し、もう一つの表面に図案模様を有するジャカード面１２を形成することによって、メリヤス生地１を一回で製造完了な状態になる。本考案は接着剤を使用するボンディング方式を改変しており、接着剤の使用を軽減できると共に、環境に与える汚染と損害を軽減できる。後で靴や帽子用品に加工するときは、仕上げたメリヤス生地１のかの子織り組織１１の弾性によって、接触物体の表面に保護を提供し、ジャカード面１２には内容豊富な図案模様を形成していて、視覚変化の効果を有する。【選択図】図９
0003193778.tif 000002
【実用新案登録請求の範囲】
【請求項１】
ボンディング加工不要な靴、帽子用メリヤス生地であって、前記メリヤス生地の一つの表面は、表面から突き出された多数リング状のかの子織り組織を形成し、もう一つの表面に図案模様を有するジャカード面を形成することによって、前記メリヤス生地を一回で製造完了な状態を形成、すなわち、前記メリヤス生地はニットによって、一回の加工プロセスをもって、前記かの子織り組織と、前記ジャカード面の構造を形成されるため、ボンティング加工プロセスを省き、接着剤の使用による環境汚染及び危害性を防げると共に、前記メリヤス生地の表面が柔らかい弾性の保護効果を提供し、前記ジャカード面を多様な装飾模様に仕上げて、視覚変化の効果を提供できることを特徴とする、ボンディング加工不要な靴、帽子用メリヤス生地。
【考案の詳細な説明】
【技術分野】
【０００１】
本考案は、メリヤス生地の一つの表面から突き出す多数リング状のかの子織り組織を有し、もう一つの表面は図案模様を有するジャカード面を形成する。後の加工工程において、靴や帽子用品に加工された後は、メリヤス生地表面のかの子織り組織が持つ弾性働きによって、接触物体の表面に保護効果を提供し、ジャカード面に豊富な図案模様を形成していて、視覚変化の効果を達成できる、ボンディング加工不要な靴、帽子用メリヤス生地に関する。
【背景技術】
【０００２】
通常、市場で見かける靴の生地部材の多くは装飾模様面Ａと、プラスチックフォーム材Ｂと、底材Ｃから構成されている（図１、２参照）。これにより、弾性を有しており人の肌に接触したときには保護効果を提供できる。
【考案の概要】
【考案が解決しようとする課題】
【０００３】
しかし、この種の生地のほとんどは、接着剤を使用して貼り合わせなければならない。加工プロセスが増えるほかに、製造コストもかさばってしまう。さらに、時間を経過すると、接着剤の粘性が劣化により次第に剥げて落ちる。
【０００４】
一方、帽子用生地材は、タオル生地Ｄに布地の表材Ｅから構成される（図３、４を参照）。しかし、両者が接着剤を用いて張り合わせなければ一体に仕上げることはできない。加工プロセスが増えるほかに、製造コストもかさばってしまう。さらに、時間を経過すると、接着剤の粘性が劣化により次第に剥げて落ちる。また、装飾模様の表面を必要の場合には、装飾生地材Ｆをさらに張り合わせる必要がある（図５、６参照）。そして、張り合わせの加工プロセスがあるため、手間は非常に掛かる。
【０００５】
この他に、もう一種のメリヤス生地の表面に多数のリングを設けられ、もう一つの表面に平面状を形成する。この種の生地は装飾をもっていないことから、一般として装飾模様を貼り付けられる。やはり、接着の加工プロセスは必要である。
【０００６】
以上いずれかの接着方式によっても、接着剤が使用されている限り、人の体と環境に危害を与える恐れがある。その原因は、接着剤は化学成分から構成するものがほとんどのため、人の体と接着剤との接触が多いほど、有害な成分に接触する機会も多くなる。それのみならず、接着剤は環境に汚染をもたらす恐れがある。その原因は、接着剤の製造及び製造後の処理は、地表ならび空気への汚染をゼロにすることはできない。たとえ使用量を少なくするか、または接着剤を全くしない場合であっても、汚染を避けることはできない。
【課題を解決するための手段】
【０００７】
そのために、本考案の目的は、メリヤス生地の一つの表面は、表面から突き出した多数リング状のかの子織り組織を有し、もう一つの表面は、図案模様を有するジャカード面を形成する。後の加工工程において、靴や帽子用品に加工した後、メリヤス生地表面のかの子織り組織が持つ弾性によって、接触物体の表面に保護効果を提供され、ジャカード面に豊富な図案模様を形成していて、視覚変化の効果を達成できる、ボンディング加工不要な靴、帽子用メリヤス生地を提供する。
【０００８】
本考案もう一つの目的は、メリヤス生地を一回の加工で仕上げるため、接着剤によるボンティング加工を省くことができると共に、接着剤を使用していないため、環境への汚染または危害性を有しない、ボンディング加工不要な靴、帽子用メリヤス生地を提供する。
【０００９】
本考案のさらに一つの目的は、メリヤス生地の表面に仕上げたリング状のかの子織り組織は、実務上の必要に応じて異なる長さや寸法を仕上げることによって変化することができる、ボンディング加工不要な靴、帽子用メリヤス生地を提供する。
【００１０】
本考案のまた一つの目的は、メリヤス生地の表面に仕上げたリング状のかの子織り組織は、実務上の必要に応じて、異なる配列密度に変化することができる、ボンディング加工不要な靴、帽子用メリヤス生地を提供する。
【００１１】
本考案のまた一つの目的は、メリヤス生地のもう一つの表面に図案模様のジャカード面は、多様な装飾模様を変化に加えて仕上げることができる、ボンディング加工不要な靴、帽子用メリヤス生地を提供する。
【図面の簡単な説明】
【００１２】
【図１】公知技術の図面（その１）である。
【図２】公知技術の図面（その２）である。
【図３】もう一つの公知技術の図面（その１）である。
【図４】もう一つの公知技術の図面（その２）である。
【図５】さらに一つの公知技術の図面（その１）である。
【図６】さらに一つの公知技術の図面（その２）である。
【図７】本考案の態様を示す図である（その１）。
【図８】本考案の態様を示す図である（その２）。
【図９】本考案の態様を示す図である（その３）。
【図１０】本考案の実施態様図である（その１）。
【図１１】本考案の実施態様図である（その２）。
【図１２】本考案の実施態様図である（その３）。
【図１３】本考案もう一つの態様を示す図である（その１）。
【図１４】本考案もう一つの態様を示す図である（その２）。
【図１５】本考案もう一つの態様を示す図である（その３）。
【考案を実施するための形態】
【実施例】
【００１３】
まず、図７、８、９で開示する詳しい説明を参照する。本考案のボンディング加工不要な靴、帽子用メリヤス生地は、編み糸が加工設備によって一回の加工でメリヤス生地１に仕上げるため、メリヤス生地１の一つの表面は、表面から突き出す多数のリング状のかの子織り組織１１を形成し、もう一つの表面は図案模様のジャカード面１２を形成する。これにより、メリヤス生地１は一回、すなわちニット加工によって、かの子織り組織１１及びジャカード面１２を仕上げるため、公知技術のような接着剤によるボンティング加工方式とは異なり、加工プロセスを少なくすることができる。もっとも注目すべき点は本考案によれば、接着剤の使用が不要のため、人の体と接触する機会も少なくなり接着剤の危害恐れを避けることができる。そのうえ、本考案は接着剤を使用していないため、接着剤の製造及び製造後の取り扱い問題はなく、環境に悪影響や大気も汚染する恐れはない。
【００１４】
さらに、かの子織り組織１１とジャカード面１２を有するメリヤス生地１は、その後の加工プロセスを経て、くつの表面材（図１０を参照）や帽子用品に加工した後（図１１、１２を参照）、メリヤス生地１のかの子織り組織１１は柔らかい弾性を有するため、肌に接触する表面に保護効果が提供される。なお、表地のジャカード面１２は、視覚変化効果を図るため、多様な図案模様を設計に取り入れることもできる。
【００１５】
さらに、メリヤス生地１の表面はリング状のかの子織り組織１１は、需要に応じて、長さまたは配列密度が異なる変化を施し、程度が異なる柔らかい弾性の快適感と保護効果を提供することができる。
【００１６】
以上に合わせて、メリヤス生地１のもう一つの表面に図案模様のジャカード面１２は設計により、多様な装飾模様に仕上げられている（図１３、１４、１５を参照）。
【００１７】
前述とおり、本考案は特許法第１０４条による成立要件を満たしており、よって、法により出願し、ご許可願いたく。
【符号の説明】
【００１８】
１            メリヤス生地
１１            かの子織り組織
１２            ジャカード面
Ａ            装飾模様面
Ｂ            プラスチックフォーム材
Ｃ            底材
Ｄ            タオル材
Ｅ            布地の表材
Ｆ            装飾模様生地
【図１】
0003193778.tif 000003
【図２】
0003193778.tif 000004
【図３】
0003193778.tif 000005
【図４】
0003193778.tif 000006
【図５】
0003193778.tif 000007
【図６】
0003193778.tif 000008
【図７】
0003193778.tif 000009
【図８】
0003193778.tif 000010
【図９】
0003193778.tif 000011
【図１０】
0003193778.tif 000012
【図１１】
0003193778.tif 000013
【図１２】
0003193778.tif 000014
【図１３】
0003193778.tif 000015
【図１４】
0003193778.tif 000016
【図１５】
0003193778.tif 000017